(57)【要約】【課題】像倍率の異なる複数の静止画に基づいて動画を生成する映像機器を提供する。【解決手段】本発明による映像機器は、複数の静止画を記録する画像記録手段と、上記静止画の像倍率を記録する像倍率記録手段と、上記複数の静止画と、該静止画に対応した像倍率とに基づいて、該複数の静止画とは異なる複数の静止画を生成する静止画生成手段と、上記画像記録手段が記録している静止画と、上記静止画生成手段が生成した複数の静止画とに基づいて、動画を生成する動画生成手段と、を有し、上記静止画生成手段は、上記複数の静止画の内二つの静止画と、該二つの静止画に対応した像倍率とに基づいて、像倍率が中間となる静止画を生成し、動体検出技術を基に補正する、または、モーフィング技術に基づいて静止画を生成する、ことを特徴とする。【選択図】図１
2013005255.tif 000002
【特許請求の範囲】
【請求項１】
複数の静止画を記録する画像記録手段と、
上記静止画の像倍率を記録する像倍率記録手段と、
上記複数の静止画と、該静止画に対応した像倍率とに基づいて、該複数の静止画とは異なる複数の静止画を生成する静止画生成手段と、
上記画像記録手段が記録している静止画と、上記静止画生成手段が生成した複数の静止画とに基づいて、動画を生成する動画生成手段と、
を有し、
上記静止画生成手段は、上記複数の静止画の内二つの静止画と、該二つの静止画に対応した像倍率とに基づいて、
像倍率が中間となる静止画を生成し、動体検出技術を基に補正する、または、
モーフィング技術に基づいて静止画を生成する、
ことを特徴とする映像機器。
【請求項２】
上記静止画生成手段は、上記二つの静止画の類似度が所定以上、または上記二つの静止画の像倍率の差が所定値以内ならば、像倍率が中間となる静止画を生成し、動体検出技術を基に補正し、
上記二つの静止画の類似度が所定以下、または上記二つの静止画の像倍率の差が所定値以外ならば、モーフィング技術に基づいて静止画を生成する、
ことを特徴とする請求項１に記載の映像機器。
【請求項３】
上記静止画生成手段は、上記画像記録手段が記録している静止画の像倍率順に静止画を生成する、
ことを特徴とする請求項１乃至２に記載の映像機器。
【請求項４】
焦点距離可変の光学系を持つ撮像手段を更に有し、
上記撮像手段は、撮影時に上記光学系の焦点距離を変えると、像倍率が所定値から変わるごとに撮影する、
ことを特徴とする請求項１乃至３に記載の映像機器。
【発明の詳細な説明】
【技術分野】
【０００１】
本発明は、像倍率の異なる複数の静止画に基づいて動画を生成する映像機器に関する。
【背景技術】
【０００２】
写真を撮るときに、数枚でストーリー性が出るように撮影を行うが、単独でその写真で見た場合撮影者の意図にあった関連性が見出せないことがある。
【０００３】
また、最近のデジタルカメラやパーソナルコンピュータには、複数の静止画を所定時間間隔で連続表示したり、複数の静止画をつなげて動画を生成する機能を持つものがある。
【０００４】
動画に対して静止画は、画素数が多い、解像度が高い、画像処理し易い、表示が簡単、手振れが気にならない等のメリットがある。静止画に対して動画は、臨場感がある、音声がある、等のメリットがある。
【先行技術文献】
【特許文献】
【０００５】
【特許文献１】特開２０１１−０１８９６８号公報
【発明の開示】
【発明が解決しようとする課題】
【０００６】
最近の動画は高画質になっているが為に、被写体の粗が目立ってしまうことがある。例えば人物の顔の場合、シミ・ソバカスや顔色、化粧崩れ、目の充血等である。
【０００７】
これら被写体の粗について、最近のデジタルカメラやパーソナルコンピュータでは、静止画を画像処理して目立たなくする技術がある。従って、静止画ならば被写体の粗を目立たなくすることができるものの、動画では画像処理が重くなることもあり、この技術を適用する例は少ない。
【０００８】
そこで、画像処理して粗を目立たなくした静止画を元に動画を生成する、或いは動画の態様に表示することが行われている。
【０００９】
ところが、複数の静止画を所定時間間隔で連続表示することにより動画の態様に表示しても、静止画と次の静止画の切り替わりでは画が飛んでしまい、動画のような連続性のある画を得ることは出来ない。これは、複数の静止画をつなげて動画を生成する場合でも同様である。
【００１０】
また特開２０１１−０１８９６８号公報に開示されている技術では、ズームアップ・ズームダウンする際の動作を段階的にして劇的な効果を得るのみであり、静止画をつなげて動画を生成することについては述べられていない。
【００１１】
本発明は上記課題に鑑み、像倍率の異なる複数の静止画に基づいて動画を生成する映像機器を提供することを目的とする。
【課題を解決するための手段】
【００１２】
上記目的を達成するために、第１の発明に係る映像機器は、複数の静止画を記録する画像記録手段と、上記静止画の像倍率を記録する像倍率記録手段と、上記複数の静止画と、該静止画に対応した像倍率とに基づいて、該複数の静止画とは異なる複数の静止画を生成する静止画生成手段と、上記画像記録手段が記録している静止画と、上記静止画生成手段が生成した複数の静止画とに基づいて、動画を生成する動画生成手段と、を有し、上記静止画生成手段は、上記複数の静止画の内二つの静止画と、該二つの静止画に対応した像倍率とに基づいて、像倍率が中間となる静止画を生成し、動体検出技術に基づいて補正する、または、モーフィング技術に基づいて静止画を生成する、ことを特徴とする。
【００１３】
上記目的を達成するために、第２の発明に係る映像機器は、上記静止画生成手段は、上記二つの静止画の類似度が所定以上、または上記二つの静止画の像倍率の差が所定値以内ならば、像倍率が中間となる静止画を生成し、動体検出技術に基づいて補正する。上記二つの静止画の類似度が所定以下、または上記二つの静止画の像倍率の差が所定値以外ならば、モーフィング技術に基づいて静止画を生成する、ことを特徴とする。
【００１４】
上記目的を達成するために、第３の発明に係る映像機器は、上記静止画生成手段は、上記画像記録手段が記録している静止画の像倍率順に静止画を生成する、ことを特徴とする。
【００１５】
上記目的を達成するために、第４の発明に係る映像機器は、焦点距離可変の光学系を持つ撮像手段を更に有し、上記撮像手段は、撮影時に上記光学系の焦点距離を変えると、像倍率が所定値変わるごとに撮影する、ことを特徴とする。
【発明の効果】
【００１６】
本発明の映像機器によれば、像倍率の異なる複数の静止画に基づいてストーリー性のある動画を生成することが出来、また、画像処理で補正した静止画に基づいて、被写体の粗を目立たなくした動画を生成することが出来る。
【図面の簡単な説明】
【００１７】
【図１】図１は、本発明の第１実施形態に係る映像機器の構成を説明するためのブロック図である。
【図２】図２は、図１に係る撮影時の動作の流れ図である。
【図３】図３は、図１に係る動画作成時の動作の流れ図である。
【図４】図４は、図１、２、３に係る表示の態様である。
【発明を実施するための最良の形態】
【００１８】
［第１実施例］以下、本発明の実施形態を図１から図３に基づいて説明する。
【００１９】
図１は、本発明を適用した映像機器１０の主要構成を示すブロック図である。
【００２０】
デジタルカメラ１０は内部に、入力部分・処理部分・記録部分・出力部分を持つ。
【００２１】
まず入力部分として、レンズ１１によって結像された被写体像を撮像部１２が取り込む。撮像部１２はＣＣＤ（Charge Coupled Device）等により構成される。
【００２２】
集音部１３は、マイク等で構成され、被写体及び周辺の音声を取り込む。
【００２３】
操作部１４は、デジタルカメラ１０を操作するキー等のユーザーインターフェースである。
【００２４】
次に処理部分として、ＬＳＩ／ＡＳＩＣ１５は、上記入力部から取り込まれた被写体像や音声を処理したり、キー操作に基づいて各種の動作を行う。
【００２５】
音声処理ブロック１６は、集音部１３が取り込んだ音声を処理する。
【００２６】
動画処理ブロック１７は、撮像部１２が取り込んだ被写体像を処理する。
【００２７】
音声処理ブロック１６と動画処理ブロック１７の処理により、動画が生成される。
【００２８】
動体検出処理ブロック１８は、複数の静止画に基づいて、動いてる被写体像を検出する。
【００２９】
次に記録部分として、メモリ１９は、上記処理部分が扱うデータを一時的に記録したり、デジタルカメラ１０の設定・状態を記録したりする。
【００３０】
記録メディア２０は、上記処理部部が生成した動画を記録する。
【００３１】
最後に出力部分として、音声出力部２１は、スピーカー等で構成され、上記処理部部が生成した動画の音声を再生出力する。
【００３２】
映像出力部２２は、モニタ等で構成され、上記処理部部が生成した動画の映像を表示出力する。
【００３３】
図２は、図１に示したデジタルカメラ１０の撮影時の動作を表す流れ図である。図１では、通常撮影とは異なる、動画を作成する為の静止画撮影（素材記録）の動作を示している。
【００３４】
まず、安定した静止画を撮影する為に必要に応じて三脚等にデジタルカメラ１０を固定する（ステップＳ１０１）。
【００３５】
次に操作部１４を操作して、デジタルカメラ１０を素材記録モードに切替える（ステップＳ１０２）。通常デジタルカメラ１０は通常記録モードになっていて通常撮影出来るようになっているので、このモードを切り替えて、動画を作成する為の静止画撮影（素材記録）が出来るようにするのである。
【００３６】
次に操作部１４を操作して、専用の記録エリア（フォルダ）を記録メディア２０に作成する（ステップＳ１０３）。通常撮影ではExif等の規格に基づいて記録エリア（フォルダ）が作成されたり、そのフォルダに画像が記録されるので、このフォルダとは異なる、動画を作成する為の静止画撮影（素材記録）専用のフォルダを作成するのである。
【００３７】
次に、操作部１４を操作して、静止画（素材）が一枚撮影される（ステップＳ１０４）。
【００３８】
ステップＳ１０４に応じて、デジタルカメラ１０は、像倍率を記録し（ステップＳ１０５）、静止画を記録する（ステップＳ１０６）。
【００３９】
そして、撮影した素材は粗のある部分を任意で補正処理して撮影者の求める状態にする（ステップＳ１０７）。
【００４０】
次に、予め設定してある音声記録モードに基づいて音声を記録するかどうか判断する（ステップＳ１０８）。
【００４１】
ステップＳ１０８にて音声を記録するならば、集音部１３が取り込んだ音声を記録する（ステップＳ１０９）。音声を記録しないならば、ステップＳ１０９の処理は省略される。
【００４２】
次に、レンズ１１を操作して像倍率の変更（レンズ１１の焦点距離の変更）が行われる（ステップＳ１１０）。
【００４３】
続いて、動画を作成する為の静止画撮影（素材記録）を終了するかどうか判断する（ステップＳ１１１）。継続するならば、ステップＳ１０４に戻って処理を続ける。
【００４４】
終了するならば、ステップＳ１０３で作成したフォルダを閉じて撮影を終了する。
【００４５】
図３は、図２で撮影した静止画に基づいて動画を作成する動作を表す流れ図である。図３ａは動画作成処理全体の流れ図で、図３ｂと図３ｃはサブルーチンの流れ図である。
【００４６】
図３ａにて、まず操作部１４を操作してデジタルカメラ１０を動画作成モードに切り替える（ステップＳ２０１）。通常デジタルカメラ１０は撮影や再生を行う通常モードになっているので、このモードを切り替えて、記録されている静止画に基づいて動画を作成するモードに切り替えるのである。
【００４７】
次に、動画を作成するポイントとなる静止画を選択する（ステップＳ２０２）。
【００４８】
上記選択された静止画に基づいて、該静止画の属するフォルダ内の静止画を像倍率順に並べ替える（ステップＳ２０３）。
【００４９】
次に上記並べ替えた静止画の像倍率を元に、動画作成時の検索用に等倍率の画像（リサイズ画像）を作成する（ステップＳ２０４）。
【００５０】
そして操作部１４を操作して、動画の１コマ目となる静止画を指定する（ステップＳ２０５）。
【００５１】
上記指定された静止画に基づいて、次のコマとなる静止画を検索する（ステップＳ２０６）が、この処理はサブルーチン化されているので、詳細は後述する。
【００５２】
次に、上記検索された静止画を表示する（ステップＳ２０７）。
【００５３】
そして操作部１４を操作して、次のコマとなる静止画を指定する（ステップＳ２０８）。
【００５４】
続いて、予め記録されているＢＧＭの中から一つを選択する（ステップＳ２０９）。
【００５５】
次に、処理を続けるかどうか判断する（ステップＳ２１０。継続するならば、ステップＳ２０６に戻って処理を続ける。
【００５６】
ステップＳ２１０にて終了するならば、上記指定された静止画に基づいて動画を作成する（ステップＳ２１１）。この処理はサブルーチン化されているので、詳細は後述する。動画作成が終わると、一連の処理を終了する。
【００５７】
図３ｂは、次のコマとなる静止画を検索するサブルーチンである。
【００５８】
まず、一つ前のコマと未検索のコマの像倍率を比較する（ステップＳ３０１）。
【００５９】
次に、上記像倍率が違うかどうか判断する（ステップＳ３０２）。
【００６０】
ステップＳ３０２にて像倍率が違うならば、上記コマ間の像倍率の高低を特定し（ステップＳ３０３）、像倍率の低いコマの中央部分から、像倍率の高いコマの類似度を上記ステップＳ２０４で作成したリサイズ画像を使って検索する（ステップＳ３０４）。
【００６１】
ステップＳ３０２にて像倍率が同じならば、上記コマ間の類似度を調べる（ステップＳ３０５）。
【００６２】
そして、類似度の高いコマを次のコマとなる静止画として並べて（ステップＳ３０６）、処理を終わる。
【００６３】
図３ｃは、動画を作成するサブルーチンである。
【００６４】
まず、ユーザーが選択した順に静止画を並べる（ステップＳ４０１）。
【００６５】
次に、各静止画間の類似度を調べる（ステップＳ４０２）。
【００６６】
ステップＳ４０２にて類似度が低ければ、二つの静止画を元にモーフィング処理を行う（ステップＳ４０３）。
【００６７】
そして、ステップＳ２０９で指定したＢＧＭ等の長さに応じて、必要となる枚数分の中間静止画を生成する（ステップＳ４０４）。
【００６８】
ステップＳ４０２にて類似度が高ければ、動体検出技術を元に補正した中間静止画を生成する（ステップＳ４０５）。
【００６９】
そして、ステップＳ２０９で指定したＢＧＭ等の長さに応じて、必要となる枚数分の中間静止画を生成する（ステップＳ４０６）。
【００７０】
その後、上記静止画とＢＧＭをつなげて動画を生成して（ステップＳ４０７）、処理を終わる。
【００７１】
図４は本実施例にて動画を生成する様子である。
【００７２】
図４ａ、ｃ、ｅが動画を作成する為の静止画撮影（素材記録）で撮影された静止画で、図４ｂとｄが中間静止画として生成された静止画である。そして図４ａ〜ｅがつなげられて動画となるのである。
【００７３】
以上のように本実施例のデジタルカメラでは、像倍率の異なる複数の補正された静止画に基づいて動画を生成するので、静止画だけでは得られないストーリー性のある動画を生成することが出来、動画として撮影したものより、被写体の粗を目立たなくした動画を生成することが出来る。
【００７４】
上記実施例では映像機器としてデジタルカメラで説明したが、本発明はこれらの機器に限るものではなく、コンピュータ等の情報処理機器やカメラ付き携帯電話等の可搬映像機器にも適用して良い。
【００７５】
また、本発明は上記実施形態をそのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素から幾つかの構成要素を削除してもよい。更に、異なる実施形態にわたる構成要素を適宜組合せても良い。
【符号の説明】
【００７６】
１０・・・デジタルカメラ、１１・・・レンズ、１２・・・撮像部（ＣＣＤ）、１３・・・集音部（マイク）、１４・・・操作部（キー／ユーザーインターフェース）、１５・・・ＬＳＩ／ＡＳＩＣ、１６・・・音声処理ブロック、１７・・・動画処理ブロック、１８・・・動体検出処理ブロック、１９・・・メモリ、２０・・・記録メディア、２１・・・音声出力部（スピーカー／サラウンドスピーカー）、２２・・・映像出力部（モニタ）
【図１】
2013005255.tif 000003
【図２】
2013005255.tif 000004
【図３ａ】
2013005255.tif 000005
【図３ｂ】
2013005255.tif 000006
【図３ｃ】
2013005255.tif 000007
【図４ａ】
2013005255.tif 000008
【図４ｂ】
2013005255.tif 000009
【図４ｃ】
2013005255.tif 000010
【図４ｄ】
2013005255.tif 000011
【図４ｅ】
2013005255.tif 000012